(57)【要約】【課題】着用者が運動やスポーツを行う場合であっても、着用者の身体に追従して違和感を与えるおそれのない吸収性物品の提供。【解決手段】吸収性物品１０の第１及び第２側縁部１７，１８は、それぞれ、横方向Ｘの内側へ延びる括れ部３０を有する。第１側縁部１７に位置する括れ部３０と第２側縁部１８に位置する括れ部３０とは、横方向において対向して位置し、  吸収体２０は吸収体両側縁２０ｃ，２０ｄから横方向Ｘの内側へ延びる一対の変形誘導部４０を有する。括れ部３０の内端３４から縦断中心線Ｐへ向かって直線状に延びる仮想線Ｋ１−Ｋ３上に吸収体２０の変形誘導部４０が位置する。【選択図】図３
2020005845.tif 000002
【特許請求の範囲】
【請求項１】
縦方向及び横方向を有し、前記横方向の寸法を２等分する縦断中心線と、透液性の表面シートと、不透液性の裏面シートと、前記表面シート間に介在された吸収体とを備えた吸収性物品において、
前記吸収体の吸収体両側縁の前記横方向の外側に位置する第１及び第２側縁部をさらに有し、
前記第１及び第２側縁部は、それぞれ、前記横方向の内側へ延びる括れ部を有し、
前記第１側縁部に位置する括れ部と前記第２側縁部に位置する括れ部とは、前記横方向において対向して位置し、
前記吸収体は前記吸収体両側縁から前記横方向の内側へ延びる一対の変形誘導部を有し、
前記括れ部の内端から前記縦断中心線へ向かって直線状に延びる仮想線上に前記吸収体の前記変形誘導部が位置することを特徴とする吸収性物品。
【請求項２】
前記変形誘導部は、前記吸収体のうちの他の部分に比して肉薄の部分または切欠である請求項１に記載の吸収性物品。
【請求項３】
前記括れ部は、前記縦中心線に対して斜めに延びており、前記仮想線は前記縦断中心線と斜めに交差する請求項１または２に記載の吸収性物品。
【請求項４】
前記裏面シートの外面には、前記縦方向へ延びる止着域が位置し、前記止着域は、前記括れ部の前記縦方向の外側には位置していない請求項１−３のいずれかに記載の吸収性物品。
【請求項５】
前記止着域の一部が前記変形誘導部の内端と平面視において互いに重なっており、重なり合う部分が前記変形誘導部の横方向の寸法の２５％未満の大きさを有する請求項４に記載の吸収性物品。
【請求項６】
前記変形誘導部の内端と前記止着域とが平面視において互いに重なっておらず、前記止着域が内端の横方向の内側に位置している請求項４に記載の吸収性物品。
【請求項７】
前記第１及び第２側縁部は、前記横方向の外側に延出するウイング部と、前記縦方向において離間対向する第１括れ部と第２括れ部とを有し、前記第１及び第２括れ部はそれぞれ前記ウイング部の基端部分に位置する請求項１−６のいずれかに記載の吸収性物品。
【請求項８】
前記ウイング部間には、吸収体において他の部分に比して肉厚の中高部分が位置する請求項７に記載の吸収性物品。
【請求項９】
前記第１側縁部に位置する前記括れ部の前記仮想線と、それに前記横方向において対向する前記第２側縁部に位置する前記括れ部の前記仮想線との交点が、前記中高部分の前記縦方向の外側に位置する請求項８に記載の吸収性物品。
【請求項１０】
前記括れ部と前記変形誘導部とは、曲状であって、前記変形誘導部は前記括れ部よりも緩やかにカーブした形状を有する請求項１−９のいずれかに記載の吸収性物品。
【請求項１１】
前記縦方向の寸法を２等分する横断中心線をさらに有し、前記第１括れ部の内端と前記第２括れ部の内端とを結ぶ縦断仮想線と前記横断中心線との交角が、９０度以下である請求項７に記載の吸収性物品。
【請求項１２】
前記括れ部と前記横方向において対向して位置する前記変形誘導部は、前記括れ部の前記縦方向の内側に延在している請求項１−１１に記載の吸収性物品。
【請求項１３】
個包装体に収容された状態において形成される、前記横方向へ延びる第１折曲ラインと第２折曲ラインとをさらに有し、前記第１括れ部とそれに対向して位置する前記変形誘導部とが第１折曲ラインと交差し、前記第２括れ部とそれに対向して位置する前記変形誘導部とが第２折曲ラインと交差する請求項７に記載の吸収性物品。
【請求項１４】
前記吸収体は、前記縦方向へ延びる第１及び第２側縁を有し、前記第１側縁に位置する前記第１括れ部と前記第２側縁に位置する前記第２括れ部とを結んだ第１仮想対向線と、前記第２側縁に位置する前記第１括れ部と前記第１側縁に位置する前記第２括れ部とを結んだ第２仮想対向線とを有する請求項２に記載の吸収性物品。
【請求項１５】
前記第１側縁部に位置する前記括れ部の前記仮想線と、それに前記横方向において対向する前記第２側縁部に位置する前記括れ部の前記仮想線との交点が、前記中高部分内に位置する請求項７に記載の吸収性物品。
【発明の詳細な説明】
【技術分野】
【０００１】
この発明は吸収性物品に関し、より詳しくは、軽失禁パッド、パンティライナ、生理用ナプキン、おりもの吸収用パッド、尿吸収パッド、大人用及び子供用の使い捨ておむつ等の吸収性物品に関する。
【背景技術】
【０００２】
従来、吸収体の一部に変形誘導部を備えた吸収性物品は、知られている。例えば、特許文献１には、透液性の表面シートと、不透液性の裏面シートと、表裏面シート間に介在された吸収体とを備え、吸収体には、両側縁から横方向の内側へ延びる複数の変形誘導部が形成された吸収性物品が開示されている。また、特許文献２には、透液性の表面シートと、不透液性の裏面シートと、表裏面シート間に介在された吸収体とを備え、吸収体の両側縁の幅方向の外側において縦方向へ延びる両側縁部には複数の括れ部が形成されている。
【先行技術文献】
【特許文献】
【０００３】
【特許文献１】特開２００８−９３２８９号（Ｐ２００８−９３２８９）
【特許文献２】特開２０１７−１４０４２２号（Ｐ２０１７−１４０４２２）
【０００４】
特許文献１に開示された吸収性物品においては、吸収体に複数の変形誘導部が形成されていることによって、吸収体を着用者の身体形状に沿って変形させることができる。一方、特許文献２に開示された吸収性物品においては、吸収体の両側縁の幅方向の外側に位置する両側縁部が複数の括れ部を有することによって、その形状を身体の動きに沿って変形させることができる。
【発明の概要】
【発明が解決しようとする課題】
【０００５】
しかし、特許文献１に記載の吸収性物品においては、吸収体の両側縁の横方向の外側に位置する両側縁部は、吸収体の変形誘導部に沿った形状を有していないことから、例えば、着用者が走ったり、ジャンプしたり比較的に大きな動作を伴う運動やスポーツを行った場合には、吸収体がかかる身体形状の動きに連動する一方、両側縁部が連動せずに突っ張った状態となって着用者違和感を与えるおそれがあった。一方、特許文献２に記載の吸収性物品においては、両側縁部に複数の括れ部が形成されているが、吸収体に変形誘導部が形成されていないことから、両側縁部が身体の大きな動きに追従して変形する一方、吸収体がそれに合わせて変形することができず、着用者に対して違和感を与えるおそれがあった。
【０００６】
本発明は、着用者が運動やスポーツを行う場合であっても、着用者の身体に追従して違和感を低減することができる吸収体物品の提供を課題とする。
【課題を解決するための手段】
【０００７】
本発明は、縦方向及び横方向を有し、前記横方向の寸法を２等分する縦断中心線と、透液性の表面シートと、不透液性の裏面シートと、前記表面シート間に介在された吸収体とを備えた吸収性物品に関する。
【０００８】
本発明に係る吸収性物品は、前記吸収体の吸収体両側縁の前記横方向の外側に位置する第１及び第２側縁部をさらに有し、前記第１及び第２側縁部は、それぞれ、前記横方向の内側へ延びる括れ部を有し、前記第１側縁部に位置する括れ部と前記第２側縁部に位置する括れ部とは、前記横方向において対向して位置し、前記吸収体は前記吸収体両側縁から前記横方向の内側へ延びる一対の変形誘導部を有し、前記括れ部の内端から前記縦断中心線へ向かって直線状に延びる仮想線上に前記吸収体の前記変形誘導部が位置することを特徴とする。
【０００９】
本発明に係る吸収性物品は、以下の好ましい実施態様を含む。下記の実施態様は、単独の構成のほかに、任意に選択して複数の実施態様に係る構成を組み合わせることができる。
（１）前記変形誘導部は、前記吸収体のうちの他の部分に比して肉薄の部分または切欠である。
（２）前記括れ部は、前記縦中心線に対して斜めに延びており、前記仮想線は前記縦中心線と斜めに交差する。
（３）前記裏面シートの外面には、前記縦方向へ延びる止着域が位置し、前記止着域は、前記括れ部の前記縦方向の外側には位置していない。
（４）前記止着域の一部が前記変形誘導部の内端と平面視において互いに重なっており、重なり合う部分が前記変形誘導部の横方向の寸法の２５％未満の大きさを有する。
（５）前記変形誘導部の内端と前記止着域とが平面視において互いに重なっておらず、前記止着域が内端４４の横方向の内側に位置している。
（６）前記第１及び第２側縁部は、前記横方向の外側に延出するウイング部と、前記縦方向において離間対向する第１括れ部と第２括れ部とを有し、前記第１及び第２括れ部はそれぞれウイング部の基端部分に位置する。
（７）前記ウイング部間には、吸収体において他の部分に比して肉厚の中高部分が位置する。
（８）前記第１側縁部に位置する前記括れ部の前記仮想線と、それに前記横方向において対向する前記第２側縁部に位置する前記括れ部の前記仮想線との交点が、前記中高部分の前記縦方向の外側に位置する。
（９）前記括れ部と前記変形誘導部とは、曲状であって、前記変形誘導部は前記括れ部よりも緩やかにカーブした形状を有する。
（１０）前記縦方向の寸法を２等分する横断中心線をさらに有し、前記第１括れ部の内端と前記第２括れ部の内端とを結ぶ縦断仮想線と前記横断中心線との交角が、９０度以下である。
（１１）前記括れ部と前記横方向において対向して位置する前記変形誘導部は、前記括れ部の前記縦方向の内側に延在している。
（１２）個包装体に収容された状態において形成される、前記横方向へ延びる第１折曲ラインと第２折曲ラインとをさらに有し、前記第１括れ部とそれに対向して位置する前記変形誘導部とが第１折曲ラインと交差し、前記第２括れ部とそれに対向して位置する前記変形誘導部とが第２折曲ラインと交差する。
（１３）前記吸収体は、前記縦方向へ延びる第１及び第２側縁を有し、前記第１側縁に位置する前記第１括れ部と前記第２側縁に位置する前記第２括れ部とを結んだ第１仮想対向線と、前記第２側縁に位置する前記第１括れ部と前記第１側縁に位置する前記第２括れ部とを結んだ第２仮想対向線とを有する。
（１４）前記第１側縁部に位置する前記括れ部の前記仮想線と、それに前記横方向において対向する前記第２側縁部に位置する前記括れ部の前記仮想線との交点が、前記中高部分内に位置する。
【発明の効果】
【００１０】
本願の吸収性物品によれば、着用者が運動やスポーツ等によって比較的に大きな動作を行う場合であっても、両側縁部と吸収体とが吸収性物品に加えられた力を吸収、緩衝することによって着用者の身体に追従することができ、違和感を低減することができる。
【図面の簡単な説明】
【００１１】
図面は、本発明の特定の実施の形態を示し、発明の不可欠な構成ばかりでなく、選択的及び好ましい実施の形態を含む。
【図１】吸収性物品の一例の生理用ナプキンを表面側から見た平面図。
【図２】生理用ナプキンを裏面側から見た平面図。
【図３】図１と同様の生理用ナプキンの平面図。
【図４】図３の一点鎖線ＩＶで囲んだ領域の一部拡大図。
【図５】図３の一点鎖線Ｖで囲んだ領域の一部拡大図。
【図６】着用状態の生理用ナプキンの様子を示す断面図。
【発明を実施するための形態】
【００１２】
下記の実施の形態は、添付の図面に示す吸収性物品に関し、発明の不可欠な構成ばかりではなく、選択的及び好ましい構成を含む。以下、添付の図面を参照して、この発明に係る吸収性物品の一例である生理用ナプキン１０の実施形態を説明する。なお、各図において、説明の便宜上、吸収体２０の外形線と仮想線Ｋ１−Ｋ３とを他の線に比べて太い線で示している。
【００１３】
図１〜３を参照すると、生理用ナプキン１０は、縦方向Ｙと、横方向Ｘと、厚さ方向Ｚと、その横方向Ｘにおける寸法を２等分する縦断中心線Ｐと縦方向Ｙの寸法を２等分する横断中心線Ｑとを有し、肌対向面側及びその反対側の非肌対向面側と、肌対向面側に位置する透液性の表面シート１１と、非肌対向面側に位置する不透液性の裏面シート１２と、これら両シート１１，１２間に位置する吸液性の吸収体２０とを含む。
【００１４】
生理用ナプキン１０は、略十字状の形状を有し、縦方向Ｙの内側に向かって凹曲する第１及び第２端縁１０ａ，１０ｂと、横断中心線Ｑと交差する部分において横方向Ｘの外側へ凸曲する第１及び第２側縁１０ｃ，１０ｄとから画成されている。生理用ナプキン１０の外形線（外郭線）は、複数の凹凸部分を有する非流線形状であって、縦断中心線Ｐに関して対称である。
【００１５】
なお、図示していないが、生理用ナプキン１０の柔軟性を向上させるために、表面シート１１と吸収体２０との間に比較的に嵩高の繊維不織布製の中間シートを配置してもよい。
【００１６】
吸収体２０は、第１端縁１０ａと対向する第１端縁２０ａと、第２端縁１０ｂと対向する第２端縁２０ｂと、第１及び第２端縁２０ａ，２０ｂ間において縦方向へ延びる第１及び第２側縁２０ｃ，２０ｄとを有する。表裏面シート１１，１２は、吸収体２０の外周から外方へ延出しており、表面シートの肌対向面側には、横方向において互いに対向するように縦方向Ｙへ延びる一対のサイドシート１４が配置される。一対のサイドシート１４は、表面シート１１にサイド接着部を介して接合される。
【００１７】
生理用ナプキン１０は、吸収体２０の外周縁から延出する外周縁部をさらに有する。外周縁部は、表面シート１１、裏面シート１２及びサイドシート１４から形成された、吸収体２０の第１及び第２端縁２０ａ，２０ｂの縦方向Ｙの外側において横方向Ｘへ延びる第１及び第２端縁部（両端部）１５，１６と、吸収体２０の第１及び第２側縁２０ｃ，２０ｄの横方向Ｘの外側において縦方向Ｙへ延びる第１及び第２側縁部（両側縁部）１７，１８とを有する。第１及び第２側縁部１７，１８は、それぞれ、横方向Ｘの外側へ凸となるウイング部１９を有する。外周縁部を形成するように互いに積層されたシートは、生理用ナプキン１０の外周縁に沿って位置する外周シール部７を介して互いに接合されている。
【００１８】
図２を参照すると、生理用ナプキン１０の裏面側には、複数の止着域５０が配置される。複数の止着域５０は、生理用ナプキン１０を下着等の被服に止着するためのものであって、縦方向Ｙへ延びる複数のライン状に塗布された粘着剤や感圧性接着剤から形成される。止着域５０は、吸収体２０と重なる領域において縦方向Ｙへ延びる中央止着域５１と、ウイング部１９に位置するサイド止着域５２とを有し、使用する前には、セパレータ(図示せず)によって被覆される。
【００１９】
表面シート１１には、開口プラスチックフィルム、織布、不織布等の、体液に含まれる液体成分を透過可能なシートを好適に用いることができる。裏面シート１２には、ポリエチレン、ポリプロピレン等の熱可塑性樹脂を主体とした熱可塑性樹脂フィルム等を好適に用いることができる。サイドシート１４には、表面シート１１と同様のシート材を用いることができる。但し、生理用ナプキン１０の外側へ体液が流れにくくするためには、疎水性もしくは撥水性を有するシート材を用いることが好ましい。
【００２０】
外周シール部７における各シートの接合は、接着剤による接合、超音波溶着、熱溶着、レーザー溶着、高周波溶着等の公知の溶着手段による接合、及びエンボス加工による接合を、単独又は組み合わせて行うことができる。また、厚さ方向Ｚにおいて積層されたシートは、ホットメルト接着剤等の接着剤を介して互いに接合される。ホットメルト接着剤の塗工方法としては、スパイラル塗工、コーター塗工、カーテンコーター塗工、スプレー塗工などの各種公知の塗工方法が挙げられる。
【００２１】
生理用ナプキン１０は、３つ折りにされた状態で個包装体に収容される。個包装体は、包装シートと生理用ナプキン１０とを折り畳んで形成されるものであって、生理用ナプキン１０は、折り畳むときに形成される横方向Ｘへ延びる第１折曲ライン１０１と第２折曲ライン１０２とを有する。第１及び第２折曲ライン１０１，１０２は、一対のウイング部１９の基端部分と重なるように横方向Ｘへ延びている。
【００２２】
吸収体２０は、所要の形状に賦形された吸液性コアを含んでおり、コアラップシートで包被されていることが好ましい。吸液性コアは、不水溶性の超吸収性ポリマー粒子（ＳＡＰ粒子）と、フラップ木材パルプ（パルプ繊維）やレーヨン繊維等のセルロース系繊維とからなる吸収性・離散性材料を有する。吸収体２０のウイング部１９間に位置する領域は、着用者の膣口対向域であって、該領域には、吸収体２０が他の部分に比して肉厚にされた中高部分２１が位置する。膣口対向域である中高部分２１は、横方向Ｘにおいて、ウイング部１９間に位置している。一方、生理用ナプキン１０がウイング部１９を有していない場合には、縦方向Ｙにおいて、生理用ナプキン１０の第１折曲線１０１と第２折曲線１０２との間に配置されていることが好ましい。
【００２３】
図１〜３を参照すると、生理用ナプキン１０は、第１及び第２両側縁部１７，１８に位置する横方向Ｘの内側へ延びる括れ部３０を有する。括れ部３０は、横方向Ｘにおいて互いに対向して位置する、第１側縁部１７の第１側縁１０ｃから横方向Ｘの内側へ延びる部分と、第２側縁部１８の第２側縁１０ｄから横方向Ｘの内側へ延びる部分とから構成されている。
【００２４】
括れ部３０は、横断中心線Ｑと第１端縁１０ａとの間に位置する第１括れ部３１と、横断中心線Ｑと第２端縁１０ｂとの間に位置する第２及び第３括れ部３２，３３とを有する。第２括れ部３２は、第３括れ部３３よりも横断中心線Ｑ側に位置している。
【００２５】
図４を参照すると、括れ部３０は、縦断中心線Ｐへ向かって次第に幅狭となる形状を有し、内端（先端）３４と、第１及び第２側縁１０ｃ，１０ｄ側に位置する外端（基端）３５とを有する。括れ部３０は、横断中心線Ｑに向かうように縦断中心線Ｐに対して斜めに延びている。括れ部３０の形状や位置については、後記の本願発明の技術的効果を有する限りにおいて、適宜変更することが可能であって、例えば、その形状として、図示した態様のほかに、先鋭凸状、四角状、多角形状等であってもよい。
【００２６】
吸収体２０は、両側縁２０ｃ，２０ｄから横方向Ｘの内側へ延びる一対の変形誘導部４０を有する。変形誘導部４０は、横断中心線Ｑと第１端縁２０ａとの間に位置する第１変形誘導部４１と、横断中心線Ｑと第２端縁２０ｂとの間に位置する第２及び第３変形誘導部４２，４３とを有する。第２変形誘導部４２は、第３変形誘導部４３よりも横断中心線Ｑ側に位置する。
【００２７】
図４を参照すると、変形誘導部４０は、縦断中心線Ｐへ向かって凸曲した形状を有し、内端（先端）４４と、第１及び第２側縁２０ｃ，２０ｄ側に位置する外端（基端）４５とを有する。変形誘導部４０は、吸収体２０の一部を切欠した部分または吸収体２０の他の部分に比して肉薄の肉薄部分から形成される。図示例では、吸収体２０の一部を切欠した部分から形成されている。変形誘導部４０の形状は、必要に応じて、適宜変更することができる。
【００２８】
再び、図３を参照すると、括れ部３０と変形誘導部４０とは、横方向Ｘにおいて互いに対向するように位置しており、具体的には、第１括れ部３１と第１変形誘導部４１、第２括れ部３２と第２変形誘導部４２、第３括れ部３３と第３変形誘導部４３とが、それぞれ互いに横方向Ｘにおいて対向して位置している。
【００２９】
第１及び第２側縁部１７，１８の括れ部３０は、内端３４から縦断中心線Ｐへ向かって直線状に延びる仮想線Ｋ１―Ｋ３をさらに有する。吸収体２０の変形誘導部４０は仮想線Ｋ１―Ｋ３上に位置している。仮想線Ｋ１−Ｋ３は、括れ部３０の曲状の内端３４を形成する仮想円弧Ｃ１の中心Ｏ１と、変形誘導部４０の内端４４を形成する仮想円弧Ｃ２の中心点Ｏ２とを結んだラインである。
【００３０】
生理用ナプキン１０の着用状態において、例えば、着用者がスポーツをしている際に、走ったり、ジャンプしたりして比較的に激しい動作を行うことによって、生理用ナプキン１０全体にそれを捩れさせようと力が作用する。かかる状態において、比較的に剛性の高い、半剛性ともいえる吸収体２０とシート材料のみからなる第１及び第２側縁部１７，１８との間には剛性差があることによって、それらの境界近傍において捩じれるような変形が生じて、生理用ナプキン１０全体が身体の大きな動きに追従することができないおそれがある。
【００３１】
本実施形態に係る生理用ナプキン１０においては、第１及び第２側縁部１７，１８に位置する括れ部３０と吸収体２０の両側部に位置する変形誘導部４０とが横方向Ｘにおいて対向して位置し、かつ、括れ部３０の仮想線Ｋ１−Ｋ３上に変形誘導部４０が位置することによって、着用者が比較的に大きな動作をして生理用ナプキン１０全体にそれを捩れさせようとする力が作用しても、括れ部３０と変形誘導部４０とが同じ位置でそれらの力を吸収、緩衝して連動するように変形することができる。具体的には、括れ部３０と変形誘導部４０とが、互いに連動するように、その幅寸法が拡がったり狭くなったり、場合によってはそれらの一部が上下に移動する等して捩れさせようとする力を吸収、緩衝させることができる。
【００３２】
それによって、生理用ナプキン１０が身体の動きに追従せずに、第１及び第２側縁部１７，１８及び吸収体２０の一部が突っ張ることによって装着感を損ねて着用者に違和感を与えたり、生理用ナプキン１０と身体との間に経血の横漏れの原因となるような隙間が生じることを抑制することができる。このように、着用者は、生理用ナプキン１０を着用している状態であっても、経血の横漏れを心配することなく、アクティブに運動やスポーツを行うことができる。
【００３３】
第１及び第２側縁部１７，１８の括れ部３０と吸収体２０の変形誘導部４０とが連動する限りにおいて、変形誘導部４０はその一部が、仮想線Ｋ１−Ｋ３上に位置していればよいが、好ましくは、仮想線Ｋ１−Ｋ３が変形誘導部４０の内端４４と交差している。かかる場合いは、括れ部３０と変形誘導部４０とがより連動して変形し、効果的に捩れさせようとする力を吸収、緩衝しうる。
【００３４】
括れ部３０の仮想線Ｋ１−Ｋ３は、横断中心線Ｑに向かうように縦断中心線Ｐに対して斜めに延びている。仮想線Ｋ１−Ｋ３が縦断中心線Ｐと直交せずに斜めに交差することから、括れ部３０と仮想線Ｋ１−Ｋ３上に位置する変形誘導部４０とが吸収、緩衝した力を生理用ナプキン１０の中心に向かって逃がすことになり、かかる力が相殺し合って他の部分が変形するのを効果的に抑制することができる。
【００３５】
図２を参照すると、裏面シート１２の外面において縦方向Ｙへ延びる止着域５０は、平面視において、第１及び第２側縁部１７，１８の括れ部３０と重なっていない。括れ部３０が止着域５０を介して下着等に固定されていないことによって、括れ部３０近傍が可動域となって容易に変形して、生理用ナプキン１０を捩れさせようとする力を効果的に吸収、緩衝することができる。
【００３６】
また、第１括れ部３１とそれに対向して位置する第１変形誘導部４１とが第１折曲ライン１０１と交差し、第２括れ部３２とそれに対向して位置する第２変形誘導部４２とが第２折曲ライン１０２と交差している。かかる場合には、第１及び第２括れ部３１，３２と第１及び第２変形誘導部４１，４２とが、個包装体に収容された状態において、第１及び第２折曲ライン１０１、１０２に沿って折り曲げられ、折り癖が付けられる。したがって、着用時において、第１及び第２括れ部３１,３２と第１及び第２変形誘導部４１，４２とは折れ曲がり易く、かつ、変形しやすくなって、捩れの力に追従しやすくなる。
【００３７】
図３を参照すると、吸収体２０は、第１側縁２０ｃに位置する第１括れ部３１と第２側縁２０ｄに位置する第２括れ部３２とを結んだ仮想対向線Ｋ４と、第２側縁２０ｄに位置する第１括れ部３１と第１側縁２０ｃに位置する第２括れ部３２とを結んだ仮想対向線Ｋ５とを有する。仮想対向線Ｋ４，Ｋ５は、それぞれ、括れ部３０の外郭ラインの一部に沿って延びている。第１及び第２括れ部３１，３２がかかる配置態様を有することによって、生理用ナプキン１０全体にそれを捩れさせようとする力が作用しても、仮想対向線Ｋ４，Ｋ５上に位置する第１及び第２括れ部３１，３２によってかかる力をより緩衝することができる。
【００３８】
吸収体２０の変形誘導部４０の内端４４近傍には、止着域５０（中央止着域５１）が位置している。具体的には、止着域５０の一部が変形誘導部４０の内端４４と平面視において互いに重なっており、該重なり合う部分が変形誘導部４０の横方向Ｘの寸法の２５％未満の大きさを有する。着用者が激しい運動を行うことによって、生理用ナプキン１０の中心側にある内端４４近傍を起点として捩れが生じる易くなるところ、内端４４の一部を止着域５０を介して固定することで、過度なねじれによるよれを効果的に防止することができる。また、このように変形誘導部４０の一部と止着域５０の一部とが互いに重なり合う場合であっても、変形誘導部４０に位置する止着域５０は、着用中に吸収体２０によって下着等に押し当てられる止着域５０の他の部分に比して、下着等に対する止着力が弱くなるので、吸収体２０の動きを阻害しないといえる。
【００３９】
また、吸収体の変形誘導部４０の内端４４と止着域５０（中央止着域５１）とが平面視において互いに重なっておらず、止着域５０が内端４４の横方向Ｘの内側に位置していることが好ましい。かかる場合には、変形誘導部４０の内端４４が止着域５０の一部と平面視において僅かに重なり合う場合に比べて、変形誘導部の変形がより阻害され難くなるといえる。
【００４０】
第１括れ部３１と第２括れ部３２とは、ウイング部１９の縦方向Ｙおいて互いに対向して位置する基端部分に位置している。ウイング部１９は、縦方向Ｙへ延びる折り曲げ線に沿って裏面側へ折り曲げられて、下着等の裏面側にサイド止着域５２を介して固定される。第１及び第２括れ部３１，３２がウイング部１９の基端部分に位置することによって、着用者が激しい運動をした際に、ウイング部１９が下着等の動きに追従して変形しやすくなり、サイド止着域５２による止着が解除されるのを抑制することができる。なお、ウイング部１９の基端部とは、ウイング部１９の縦方向の外方に位置する第１側縁２０ｃ（又は第２側縁２０ｄ）の一部に沿って縦方向Ｙへ延びる仮想ラインと、ウイング部１９の上端縁（又は下端縁）に沿って横方向Ｘへ延びる仮想ラインとが直交する部分である。
【００４１】
括れ部３０の仮想線どうし、すなわち、第１仮想線Ｋ１どうし、第２仮想線Ｋ２どうし及び第３仮想線Ｋ３どうしの交点Ｐ１，Ｐ２は、中高部分２１の縦方向Ｙの外側に位置する。括れ部３０が吸収、緩衝した力を逃がすときに膣口対向域に位置する中高部分２１に直接作用しないことから、中高部分２１を変形して膣口から離間するのを抑制することができる。
【００４２】
図示例と異なり、第１仮想線Ｋ１どうしの交点Ｐ１及び／又は仮想線Ｋ２どうしの交点Ｐ２は、中高部分２１内に位置していてもよい。かかる場合には、交点Ｐ１，Ｐ２が、中高部分２１の曲状の両端部内に位置していることが好ましい。括れ部３０と変形誘導部４０とによって逃がした力が集中する交点Ｐ１，Ｐ２が曲状の両端部内に位置することで、力が分散されて点で集中するのを抑制することができる。また、吸収体２０が第３括れ部３３とそれに対向する第３変形誘導部４３とを有する場合には、第２仮想線Ｋ２の横方向Ｘの外側に吸収性コア２０の一部が位置していてもよい。かかる場合には、第２仮想線Ｋ２に代わって、第３仮想線Ｋ３が、力が加わったときに第１及び第２側縁部１７，１８を変形させるための可動軸として作用しうる。
【００４３】
図４を参照すると、括れ部３０と変形誘導部４０とは、横方向Ｘの内側へ向かう凸曲状であって、変形誘導部４０は括れ部３０よりも緩やかにカーブした形状を有する。具体的には、括れ部３０の内端３４を形成する仮想円弧Ｃ１は、それと対向して位置する変形誘導部４０の内端４４を形成する仮想円弧Ｃ２よりも小さくなっている。括れ部３０の位置する第１及び第２側縁部１７，１８よりも変形誘導部４０が位置する吸収体２０の剛性が高くなっている。したがって、変形誘導部４０が比較的に幅狭の場合には、その可動域が小さくなるおそれがあるが、括れ部３０よりも変形誘導部４０が緩やかに大きくカーブした形状を有することから、可動域の自由度が増して、括れ部３０とともに連動して変形することができる。
【００４４】
また、括れ部３０と横方向Ｘにおいて対向して位置する変形誘導部４０は、括れ部３０の縦方向Ｙの内側に延在している。かかる場合には、生理用ナプキン１０の両側において、中心に向かってそれを捩れさせようとする力が作用したときに、括れ部３０よりも変形誘導部４０が中心に近い側で変形されることから、剛性の高い吸収体２０を両側縁部１７、１８とともにバランスよく変形させることができる。
【００４５】
図５を参照すると、第１括れ部３１の内端３４と第２括れ部３２の内端３４とを結ぶ縦断仮想線Ｔと横断中心線Ｑとの交角αが９０度以下である。交角度αが９０度以下であることによって、着用者の股下域の後方側に位置する第２端縁部１６側の部分を比較的に広く形成することができる。下着等の生理用ナプキンが固定される被服は前方から後方へ向かうにつれて面積が大きくなる形状を有していることから、生理用ナプキン１０も同様に前方に比べて後方の面積が大きくなる形状を有することで、着用者の股繰りから受けるそれを変形させようとする力を均等に受けることでウイング部１９の基端部分に位置する第１及び第２括れ部３１，３２で、よれが生じるのを抑制することができる。
【００４６】
また、吸収体２０の第１側縁２０ｃのうちの変形誘導部４０よりも横方向Ｘの外側に位置する部分４６は、括れ部３０の内端３４よりも横方向Ｘの外側に位置し、かつ、サイド止着域５２よりも横方向Ｘの外側に位置している。好ましくは、吸収体２０の第２側縁部２０ｄにおいても第１側縁部２０ｃの部分４６と同様の配置態様を有しており、かかる場合には、吸収体２０の横幅ができる限り大きくなって、体液の横漏れを抑制しうる。
【００４７】
図６を参照すると、縦方向Ｙへ延びる止着域５０が括れ部３０と交差していないことから、第１括れ部３１と第２括れ部３２との間には止着域５０が位置していない。したがって、縦方向Ｙにおいてウイング部１９の基端部分に位置する第１括れ部３１と第２括れ部３２間に位置する吸収体２０の中高部分２１の横方向Ｘの外側は下着等の被服６０に固定されていない非止着域であることから、着用者の身体に押し当てられ難く、中高部分２２の両側には身体から離間した空間６３が画成される。このように、膣口に当接される中高部分２１の両側に空間６３が形成されることで、着用者の比較的に激しい脚部の動きに対して括れ部３０の上下の速やかな移動が容易になって追従性が向上する。
【符号の説明】
【００４８】
１０  生理用ナプキン（吸収性物品）
１１  表面シート
１２  裏面シート
２０  吸収体
２０ｃ  第１側縁（吸収体側縁）
２０ｄ  第２側縁（吸収体側縁）
１７  第１側縁部
１８  第２側縁部
１９  ウイング部
３０  括れ部
３１  第１括れ部
３２  第２括れ部
３３  第３括れ部
３４  括れ部の内端
４０  変形誘導部
４１  第１変形誘導部
４２  第２変形誘導部
４３  第３変形誘導部
４４  変形誘導部の内端
５０  止着域
Ｋ１  仮想線
Ｋ２  仮想線
Ｋ３  仮想線
Ｐ１  交点
Ｐ２  交点
Ｔ    縦断仮想線
Ｘ    横方向
Ｙ    縦方向
【図１】
2020005845.tif 000003
【図２】
2020005845.tif 000004
【図３】
2020005845.tif 000005
【図４】
2020005845.tif 000006
【図５】
2020005845.tif 000007
【図６】
2020005845.tif 000008
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
縦方向及び横方向を有し、前記横方向の寸法を２等分する縦断中心線と、前記縦方向の寸法を２等分する横断中心線と、透液性の表面シートと、不透液性の裏面シートと、前記表面シート間に介在された吸収体とを備えた吸収性物品において、
前記吸収体の吸収体両側縁の前記横方向の外側に位置する第１及び第２側縁部をさらに有し、
前記第１及び第２側縁部は、それぞれ、前記横方向の内側へ延びる括れ部を有し、
前記第１側縁部に位置する括れ部と前記第２側縁部に位置する括れ部とは、前記横方向において対向して位置し、
前記吸収体は前記吸収体両側縁から前記横方向の内側へ延びる一対の変形誘導部を有し、
前記括れ部と前記変形誘導部とは前記横方向において対向して位置し、
前記括れ部は、前記縦断中心線に対して斜めに延びていて、
前記変形誘導部は、前記括れ部の前記縦方向の内側に延在しており、前記括れ部の内端から前記縦断中心線へ延びる直線状であって、かつ、前記横断中心線に向かうように前記縦断中心線と斜めに交差する仮想線上に位置することを特徴とする吸収性物品。
【請求項２】
前記変形誘導部は、前記吸収体のうちの他の部分に比して肉薄の部分である請求項１に記載の吸収性物品。
【請求項３】
前記変形誘導部は、切欠である請求項１に記載の吸収性物品。
【請求項４】
前記括れ部と前記変形誘導部とは、曲状であって、前記括れ部の内端を形成する仮想円弧の中心と、前記変形誘導部の内端を形成する仮想円弧の中心とを結んだラインは、前記仮想線上に位置する請求項１−３のいずれかに記載の吸収性物品。
【請求項５】
前記裏面シートの外面には、前記縦方向へ延びる止着域が位置し、前記止着域は、前記括れ部の前記縦方向の外側には位置していない請求項１−４のいずれかに記載の吸収性物品。
【請求項６】
前記止着域の一部が前記変形誘導部の内端と平面視において互いに重なっている請求項５に記載の吸収性物品。
【請求項７】
前記止着域のうちの前記変形誘導部の内端と重なり合う部分が前記変形誘導部の前記横方向の寸法の２５％未満の大きさを有する請求項６に記載の吸収性物品。
【請求項８】
前記変形誘導部の内端と前記止着域とが平面視において互いに重なっておらず、前記止着域が内端の横方向の内側に位置している請求項５に記載の吸収性物品。
【請求項９】
前記第１及び第２側縁部は、前記横方向の外側に延出するウイング部と、前記縦方向において離間対向する第１括れ部と第２括れ部とを有し、前記第１及び第２括れ部はそれぞれ前記ウイング部の基端部分に位置する請求項１−８のいずれかに記載の吸収性物品。
【請求項１０】
前記ウイング部間には、吸収体において他の部分に比して肉厚の中高部分が位置する請求項９に記載の吸収性物品。
【請求項１１】
前記第１側縁部に位置する前記括れ部の前記仮想線と、それに前記横方向において対向する前記第２側縁部に位置する前記括れ部の前記仮想線との交点が、前記中高部分の前記縦方向の外側に位置する請求項１０に記載の吸収性物品。
【請求項１２】
前記変形誘導部は前記括れ部よりも緩やかにカーブした形状を有する請求項４に記載の吸収性物品。
【請求項１３】
前記第１括れ部の内端と前記第２括れ部の内端とを結ぶ縦断仮想線と前記横断中心線との交角が、９０度以下である請求項９に記載の吸収性物品。
【請求項１４】
個包装体に収容された状態において形成される、前記横方向へ延びる第１折曲ラインと第２折曲ラインとをさらに有し、前記第１括れ部とそれに対向して位置する前記変形誘導部とが第１折曲ラインと交差し、前記第２括れ部とそれに対向して位置する前記変形誘導部とが第２折曲ラインと交差する請求項９に記載の吸収性物品。
【請求項１５】
前記吸収体は、前記縦方向へ延びる第１及び第２側縁を有し、前記第１側縁に位置する前記第１括れ部と前記第２側縁に位置する前記第２括れ部とを結んだ第１仮想対向線と、前記第２側縁に位置する前記第１括れ部と前記第１側縁に位置する前記第２括れ部とを結んだ第２仮想対向線とを有し、前記第１及び第２仮想対向線は、それぞれ、前記第１及び第２括れ部の外郭ラインの一部に沿って延びている請求項１−１４のいずれかに記載の吸収性物品。
【請求項１６】
前記第１側縁部に位置する前記括れ部の前記仮想線と、それに前記横方向において対向する前記第２側縁部に位置する前記括れ部の前記仮想線との交点が、前記中高部分内に位置する請求項１０に記載の吸収性物品。
【請求項１７】
前記ウイング部の前記縦方向の外側には、第３括れ部と、前記第３括れ部と前記横方向において対向して位置する前記変形誘導部とが位置する請求項９又は１０に記載の吸収性物品。
【請求項１８】
任意の前記括れ部の前記仮想線上に位置する前記変形誘導部は、前記任意の括れ部に最も近接する変形誘導部である請求項１−１７のいずれかに記載の吸収性物品。
【手続補正２】
【補正対象書類名】明細書
【補正対象項目名】０００５
【補正方法】変更
【補正の内容】
【０００５】
しかし、特許文献１に記載の吸収性物品においては、吸収体の両側縁の横方向の外側に位置する両側縁部は、吸収体の変形誘導部に沿った形状を有していないことから、例えば、着用者が走ったり、ジャンプしたり比較的に大きな動作を伴う運動やスポーツを行った場合には、吸収体がかかる身体形状の動きに連動する一方、両側縁部が連動せずに突っ張った状態となって着用者に違和感を与えるおそれがあった。一方、特許文献２に記載の吸収性物品においては、両側縁部に複数の括れ部が形成されているが、吸収体に変形誘導部が形成されていないことから、両側縁部が身体の大きな動きに追従して変形する一方、吸収体がそれに合わせて変形することができず、着用者に対して違和感を与えるおそれがあった。
【手続補正３】
【補正対象書類名】明細書
【補正対象項目名】０００７
【補正方法】変更
【補正の内容】
【０００７】
本発明は、縦方向及び横方向を有し、前記横方向の寸法を２等分する縦断中心線と、前記縦方向の寸法を２等分する横断中心線と、透液性の表面シートと、不透液性の裏面シートと、前記表面シート間に介在された吸収体とを備えた吸収性物品に関する。
【手続補正４】
【補正対象書類名】明細書
【補正対象項目名】０００８
【補正方法】変更
【補正の内容】
【０００８】
本発明に係る吸収性物品は、前記吸収体の吸収体両側縁の前記横方向の外側に位置する第１及び第２側縁部をさらに有し、前記第１及び第２側縁部は、それぞれ、前記横方向の内側へ延びる括れ部を有し、前記第１側縁部に位置する括れ部と前記第２側縁部に位置する括れ部とは、前記横方向において対向して位置し、前記吸収体は前記吸収体両側縁から前記横方向の内側へ延びる一対の変形誘導部を有し、前記括れ部と前記変形誘導部とは前記横方向において対向して位置し、前記括れ部は、前記縦断中心線に対して斜めに延びていて、前記変形誘導部は、前記括れ部の前記縦方向の内側に延在しており、前記括れ部の内端から前記縦断中心線へ延びる直線状であって、かつ、前記横断中心線に向かうように前記縦断中心線と斜めに交差する仮想線上に位置することを特徴とする。
【手続補正５】
【補正対象書類名】明細書
【補正対象項目名】０００９
【補正方法】変更
【補正の内容】
【０００９】
本発明に係る吸収性物品は、以下の好ましい実施態様を含む。下記の実施態様は、単独の構成のほかに、任意に選択して複数の実施態様に係る構成を組み合わせることができる。
（１）前記変形誘導部は、前記吸収体のうちの他の部分に比して肉薄の部分である。
（２）前記変形誘導部は、切欠である。
（３）前記括れ部と前記変形誘導部とは、曲状であって、前記括れ部の内端を形成する仮想円弧の中心と、前記変形誘導部の内端を形成する仮想円弧の中心とを結んだラインは、前記仮想線上に位置する。
（４）前記裏面シートの外面には、前記縦方向へ延びる止着域が位置し、前記止着域は、前記括れ部の前記縦方向の外側には位置していない。
（５）前記止着域の一部が前記変形誘導部の内端と平面視において互いに重なっている。
（６）前記止着域のうちの前記変形誘導部の内端と重なり合う部分が前記変形誘導部の前記横方向の寸法の２５％未満の大きさを有する。
（７）前記変形誘導部の内端と前記止着域とが平面視において互いに重なっておらず、前記止着域が内端の横方向の内側に位置している。
（８）前記第１及び第２側縁部は、前記横方向の外側に延出するウイング部と、前記縦方向において離間対向する第１括れ部と第２括れ部とを有し、前記第１及び第２括れ部はそれぞれ前記ウイング部の基端部分に位置する。
（９）前記ウイング部間には、吸収体において他の部分に比して肉厚の中高部分が位置する。
（１０）前記第１側縁部に位置する前記括れ部の前記仮想線と、それに前記横方向において対向する前記第２側縁部に位置する前記括れ部の前記仮想線との交点が、前記中高部分の前記縦方向の外側に位置する。
（１１）前記変形誘導部は前記括れ部よりも緩やかにカーブした形状を有する。
（１２）前記第１括れ部の内端と前記第２括れ部の内端とを結ぶ縦断仮想線と前記横断中心線との交角が、９０度以下である。
（１３）個包装体に収容された状態において形成される、前記横方向へ延びる第１折曲ラインと第２折曲ラインとをさらに有し、前記第１括れ部とそれに対向して位置する前記変形誘導部とが第１折曲ラインと交差し、前記第２括れ部とそれに対向して位置する前記変形誘導部とが第２折曲ラインと交差する。
（１４）前記吸収体は、前記縦方向へ延びる第１及び第２側縁を有し、前記第１側縁に位置する前記第１括れ部と前記第２側縁に位置する前記第２括れ部とを結んだ第１仮想対向線と、前記第２側縁に位置する前記第１括れ部と前記第１側縁に位置する前記第２括れ部とを結んだ第２仮想対向線とを有し、前記第１及び第２仮想対向線は、それぞれ、前記第１及び第２括れ部の外郭ラインの一部に沿って延びている。
（１５）前記第１側縁部に位置する前記括れ部の前記仮想線と、それに前記横方向において対向する前記第２側縁部に位置する前記括れ部の前記仮想線との交点が、前記中高部分内に位置する。
（１６）前記ウイング部の前記縦方向の外側には、第３括れ部と、前記第３括れ部と前記横方向において対向して位置する前記変形誘導部とが位置する。
（１７）任意の前記括れ部の前記仮想線上に位置する前記変形誘導部は、前記任意の括れ部に最も近接する変形誘導部である。
【手続補正６】
【補正対象書類名】明細書
【補正対象項目名】００１１
【補正方法】変更
【補正の内容】
【００１１】
図面は、本発明の特定の実施の形態を示し、発明の不可欠な構成ばかりでなく、選択的及び好ましい実施の形態を含む。
【図１】吸収性物品の一例の生理用ナプキンを表面側から見た平面図。
【図２】生理用ナプキンを裏面側から見た平面図。
【図３】図１と同様の生理用ナプキンの平面図。
【図４】図３の一点鎖線ＩＶで囲んだ領域の一部拡大図。
【図５】ウイング部及びその近傍の拡大図。
【図６】着用状態の生理用ナプキンの様子を示す断面図。
【手続補正７】
【補正対象書類名】明細書
【補正対象項目名】００１９
【補正方法】変更
【補正の内容】
【００１９】
表面シート１１には、開口プラスチックフィルム、織布、不織布等の、体液に含まれる液体成分を透過可能なシートを好適に用いることができる。裏面シート１２には、ポリエチレン、ポリプロピレン等の熱可塑性樹脂を主体とした熱可塑性樹脂フィルム等を好適に用いることができる。サイドシート１４には、表面シート１１と同様のシート材を用いることができる。但し、生理用ナプキン１０の外側へ体液が流れ難くするためには、疎水性もしくは撥水性を有するシート材を用いることが好ましい。
【手続補正８】
【補正対象書類名】明細書
【補正対象項目名】００２９
【補正方法】変更
【補正の内容】
【００２９】
第１及び第２側縁部１７，１８の括れ部３０は、内端３４から縦断中心線Ｐへ向かって直線状に延びる仮想線Ｋ１―Ｋ３をさらに有する。吸収体２０の変形誘導部４０は仮想線Ｋ１−Ｋ３上に位置している。括れ部３０の曲状の内端３４を形成する仮想円弧Ｃ１の中心Ｏ１と、変形誘導部４０の内端４４を形成する仮想円弧Ｃ２の中心点Ｏ２とを結んだラインは、仮想線Ｋ１−Ｋ３と重なって延びている。
【手続補正９】
【補正対象書類名】明細書
【補正対象項目名】００３８
【補正方法】変更
【補正の内容】
【００３８】
吸収体２０の変形誘導部４０の内端４４近傍には、止着域５０（中央止着域５１）が位置している。具体的には、止着域５０の一部が変形誘導部４０の内端４４と平面視において互いに重なっており、該重なり合う部分が変形誘導部４０の横方向Ｘの寸法の２５％未満の大きさを有する。着用者が激しい運動を行うことによって、生理用ナプキン１０の中心側にある内端４４近傍を起点として捩れが生じ易くなるところ、内端４４の一部を止着域５０を介して固定することで、過度なねじれによるよれを効果的に防止することができる。また、このように変形誘導部４０の一部と止着域５０の一部とが互いに重なり合う場合であっても、変形誘導部４０に位置する止着域５０は、着用中に吸収体２０によって下着等に押し当てられる止着域５０の他の部分に比して、下着等に対する止着力が弱くなるので、吸収体２０の動きを阻害しないといえる。
【手続補正１０】
【補正対象書類名】明細書
【補正対象項目名】００４２
【補正方法】変更
【補正の内容】
【００４２】
図示例と異なり、第１仮想線Ｋ１どうしの交点Ｐ１及び／又は仮想線Ｋ２どうしの交点Ｐ２は、中高部分２１内に位置していてもよい。かかる場合には、交点Ｐ１，Ｐ２が、中高部分２１の曲状の両端部内に位置していることが好ましい。括れ部３０と変形誘導部４０とによって逃がした力が集中する交点Ｐ１，Ｐ２が曲状の両端部内に位置することで、力が分散されて点で集中するのを抑制することができる。また、吸収体２０が第３括れ部３３とそれに対向する第３変形誘導部４３とを有する場合には、第２仮想線Ｋ２の横方向Ｘの外側に吸収体２０の一部が位置していてもよい。かかる場合には、第２仮想線Ｋ２に代わって、第３仮想線Ｋ３が、力が加わったときに第１及び第２側縁部１７，１８を変形させるための可動軸として作用しうる。
【手続補正１１】
【補正対象書類名】明細書
【補正対象項目名】００４７
【補正方法】変更
【補正の内容】
【００４７】
図６を参照すると、縦方向Ｙへ延びる止着域５０が括れ部３０と交差していないことから、第１括れ部３１と第２括れ部３２との間には止着域５０が位置していない。したがって、縦方向Ｙにおいてウイング部１９の基端部分に位置する第１括れ部３１と第２括れ部３２間に位置する吸収体２０の中高部分２１の横方向Ｘの外側は下着等の被服６０に固定されていない非止着域であることから、着用者の身体に押し当てられ難く、中高部分２１の両側には身体から離間した空間６３が画成される。このように、膣口に当接される中高部分２１の両側に空間６３が形成されることで、着用者の比較的に激しい脚部の動きに対して括れ部３０の上下の速やかな移動が容易になって追従性が向上する。
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
縦方向及び横方向を有し、前記横方向の寸法を２等分する縦断中心線と、前記縦方向の寸法を２等分する横断中心線と、透液性の表面シートと、不透液性の裏面シートと、前記表裏面シート間に介在された吸収体とを備えた吸収性物品において、
前記吸収体の吸収体両側縁の前記横方向の外側に位置する第１及び第２側縁部と、前記第１及び第２側縁部間に位置する膣口対向域と、個包装体に収容された状態において形成される、前記横方向へ延びる第１折曲ラインと第２折曲ラインとをさらに有し、
前記第１及び第２側縁部は、それぞれ、前記横方向の内側へ延びる括れ部を有し、
前記第１側縁部に位置する括れ部と前記第２側縁部に位置する括れ部とは、前記横方向において対向して位置し、
前記吸収体は前記吸収体両側縁から前記横方向の内側へ延びる一対の変形誘導部を有し、
前記括れ部と前記変形誘導部とは前記横方向において対向して位置し、
前記括れ部は、前記縦断中心線に対して斜めに延びていて、
前記変形誘導部は、前記括れ部の前記縦方向の内側に延在しており、前記括れ部の内端から前記縦断中心線へ延びる直線状であって、かつ、前記横断中心線に向かうように前記縦断中心線と斜めに交差する仮想線上に位置し、
前記第１及び第２側縁部は、前記縦方向において離間対向する第１括れ部と第２括れ部とを有し、前記第１及び第２括れ部はそれぞれ前記膣口対向域の縦方向の外側に位置し、
前記第１括れ部とそれに対向して位置する前記変形誘導部とが第１折曲ラインと交差し、前記第２括れ部とそれに対向して位置する前記変形誘導部とが第２折曲ラインと交差することを特徴とする吸収性物品。
【請求項２】
前記変形誘導部は、前記吸収体のうちの他の部分に比して肉薄の部分である請求項１に記載の吸収性物品。
【請求項３】
前記変形誘導部は、切欠である請求項１に記載の吸収性物品。
【請求項４】
前記括れ部と前記変形誘導部とは、曲状であって、前記括れ部の内端を形成する仮想円弧の中心と、前記変形誘導部の内端を形成する仮想円弧の中心とを結んだラインは、前記仮想線上に位置する請求項１−３のいずれかに記載の吸収性物品。
【請求項５】
前記裏面シートの外面には、前記縦方向へ延びる止着域が位置し、前記止着域は、前記括れ部の前記横方向の外側には位置していない請求項１−４のいずれかに記載の吸収性物品。
【請求項６】
前記止着域の一部が前記変形誘導部の内端と平面視において互いに重なっている請求項５に記載の吸収性物品。
【請求項７】
前記止着域のうちの前記変形誘導部の内端と重なり合う部分が前記変形誘導部の前記横方向の寸法の２５％未満の大きさを有する請求項６に記載の吸収性物品。
【請求項８】
前記変形誘導部の内端と前記止着域とが平面視において互いに重なっておらず、前記止着域が前記内端の横方向の内側に位置している請求項５に記載の吸収性物品。
【請求項９】
前記膣口対向域は、前記吸収体において他の部分に比して肉厚の中高部分である請求項１〜８のいずれかに記載の吸収性物品。
【請求項１０】
前記第１側縁部に位置する前記括れ部の前記仮想線と、それに前記横方向において対向する前記第２側縁部に位置する前記括れ部の前記仮想線との交点が、前記中高部分の前記縦方向の外側に位置する請求項９に記載の吸収性物品。
【請求項１１】
前記変形誘導部は前記括れ部よりも緩やかにカーブした形状を有する請求項４に記載の吸収性物品。
【請求項１２】
前記第１括れ部の内端と前記第２括れ部の内端とを結ぶ縦断仮想線と前記横断中心線との交角が、９０度以下である請求項１〜１１のいずれかに記載の吸収性物品。
【請求項１３】
前記第１側縁部に位置する前記括れ部の前記仮想線と、それに前記横方向において対向する前記第２側縁部に位置する前記括れ部の前記仮想線との交点が、前記中高部分内に位置する請求項９に記載の吸収性物品。
【請求項１４】
前記第２括れ部の前記縦方向の外側には、第３括れ部と、前記第３括れ部と前記横方向において対向して位置する前記変形誘導部とが位置する請求項１〜１０のいずれかに記載の吸収性物品。
【請求項１５】
任意の前記括れ部の前記仮想線上に位置する前記変形誘導部は、前記任意の括れ部に最も近接する変形誘導部である請求項１−１４のいずれかに記載の吸収性物品。
【請求項１６】
縦方向及び横方向を有し、前記横方向の寸法を２等分する縦断中心線と、前記縦方向の寸法を２等分する横断中心線と、透液性の表面シートと、不透液性の裏面シートと、前記表裏面シート間に介在された吸収体とを備えた吸収性物品において、
前記吸収体の吸収体両側縁の前記横方向の外側に位置する第１及び第２側縁部と、個包装体に収容された状態において形成される、前記横方向へ延びる第１折曲ラインと第２折曲ラインとをさらに有し、
前記第１及び第２側縁部は、それぞれ、前記横方向の内側へ延びる括れ部を有し、
前記第１側縁部に位置する括れ部と前記第２側縁部に位置する括れ部とは、前記横方向において対向して位置し、
前記吸収体は前記吸収体両側縁から前記横方向の内側へ延びる一対の変形誘導部を有し、
前記括れ部と前記変形誘導部とは前記横方向において対向して位置し、
前記括れ部は、前記縦断中心線に対して斜めに延びていて、
前記変形誘導部は、前記括れ部の前記縦方向の内側に延在しており、前記括れ部の内端から前記縦断中心線へ延びる直線状であって、かつ、前記横断中心線に向かうように前記縦断中心線と斜めに交差する仮想線上に位置し、
前記第１及び第２側縁部は、前記横方向の外側に延出するウイング部と、前記縦方向において離間対向する第１括れ部と第２括れ部とを有し、前記第１及び第２括れ部はそれぞれ前記ウイング部の基端部分に位置し、
前記第１括れ部とそれに対向して位置する前記変形誘導部とが第１折曲ラインと交差し、前記第２括れ部とそれに対向して位置する前記変形誘導部とが第２折曲ラインと交差することを特徴とする吸収性物品。
【手続補正２】
【補正対象書類名】明細書
【補正対象項目名】０００７
【補正方法】変更
【補正の内容】
【０００７】
本願の第１及び第２発明は、縦方向及び横方向を有し、前記横方向の寸法を２等分する縦断中心線と、前記縦方向の寸法を２等分する横断中心線と、透液性の表面シートと、不透液性の裏面シートと、前記表裏面シート間に介在された吸収体とを備えた吸収性物品に関する。
【手続補正３】
【補正対象書類名】明細書
【補正対象項目名】０００８
【補正方法】変更
【補正の内容】
【０００８】
第１発明に係る吸収性物品は、前記吸収体の吸収体両側縁の前記横方向の外側に位置する第１及び第２側縁部と、前記第１及び第２側縁部間に位置する膣口対向域と、個包装体に収容された状態において形成される、前記横方向へ延びる第１折曲ラインと第２折曲ラインとをさらに有し、前記第１及び第２側縁部は、それぞれ、前記横方向の内側へ延びる括れ部を有し、前記第１側縁部に位置する括れ部と前記第２側縁部に位置する括れ部とは、前記横方向において対向して位置し、前記吸収体は前記吸収体両側縁から前記横方向の内側へ延びる一対の変形誘導部を有し、前記括れ部と前記変形誘導部とは前記横方向において対向して位置し、前記括れ部は、前記縦断中心線に対して斜めに延びていて、前記変形誘導部は、前記括れ部の前記縦方向の内側に延在しており、前記括れ部の内端から前記縦断中心線へ延びる直線状であって、かつ、前記横断中心線に向かうように前記縦断中心線と斜めに交差する仮想線上に位置し、前記第１及び第２側縁部は、前記縦方向において離間対向する第１括れ部と第２括れ部とを有し、前記第１及び第２括れ部はそれぞれ前記膣口対向域の縦方向の外側に位置し、前記第１括れ部とそれに対向して位置する前記変形誘導部とが第１折曲ラインと交差し、前記第２括れ部とそれに対向して位置する前記変形誘導部とが第２折曲ラインと交差することを特徴とする。
第２発明に係る吸収性物品は、前記吸収体の吸収体両側縁の前記横方向の外側に位置する第１及び第２側縁部と、個包装体に収容された状態において形成される、前記横方向へ延びる第１折曲ラインと第２折曲ラインとをさらに有し、前記第１及び第２側縁部は、それぞれ、前記横方向の内側へ延びる括れ部を有し、前記第１側縁部に位置する括れ部と前記第２側縁部に位置する括れ部とは、前記横方向において対向して位置し、前記吸収体は前記吸収体両側縁から前記横方向の内側へ延びる一対の変形誘導部を有し、前記括れ部と前記変形誘導部とは前記横方向において対向して位置し、前記括れ部は、前記縦断中心線に対して斜めに延びていて、前記変形誘導部は、前記括れ部の前記縦方向の内側に延在しており、前記括れ部の内端から前記縦断中心線へ延びる直線状であって、かつ、前記横断中心線に向かうように前記縦断中心線と斜めに交差する仮想線上に位置し、前記第１及び第２側縁部は、前記横方向の外側に延出するウイング部と、前記縦方向において離間対向する第１括れ部と第２括れ部とを有し、前記第１及び第２括れ部はそれぞれ前記ウイング部の基端部分に位置し、前記第１括れ部とそれに対向して位置する前記変形誘導部とが第１折曲ラインと交差し、前記第２括れ部とそれに対向して位置する前記変形誘導部とが第２折曲ラインと交差することを特徴とする。
【手続補正４】
【補正対象書類名】明細書
【補正対象項目名】０００９
【補正方法】変更
【補正の内容】
【０００９】
第１発明に係る吸収性物品は、以下の好ましい実施態様を含む。下記の実施態様は、単独の構成のほかに、任意に選択して複数の実施態様に係る構成を組み合わせることができる。
（１）前記変形誘導部は、前記吸収体のうちの他の部分に比して肉薄の部分である。
（２）前記変形誘導部は、切欠である。
（３）前記括れ部と前記変形誘導部とは、曲状であって、前記括れ部の内端を形成する仮想円弧の中心と、前記変形誘導部の内端を形成する仮想円弧の中心とを結んだラインは、前記仮想線上に位置する。
（４）前記裏面シートの外面には、前記縦方向へ延びる止着域が位置し、前記止着域は、前記括れ部の前記横方向の外側には位置していない。
（５）前記止着域の一部が前記変形誘導部の内端と平面視において互いに重なっている。
（６）前記止着域のうちの前記変形誘導部の内端と重なり合う部分が前記変形誘導部の前記横方向の寸法の２５％未満の大きさを有する。
（７）前記変形誘導部の内端と前記止着域とが平面視において互いに重なっておらず、前記止着域が前記内端の横方向の内側に位置している。
（８）前記膣口対向域は、吸収体において他の部分に比して肉厚の中高部分である。
（９）前記第１側縁部に位置する前記括れ部の前記仮想線と、それに前記横方向において対向する前記第２側縁部に位置する前記括れ部の前記仮想線との交点が、前記中高部分の前記縦方向の外側に位置する。
（１０）前記変形誘導部は前記括れ部よりも緩やかにカーブした形状を有する。
（１１）前記第１括れ部の内端と前記第２括れ部の内端とを結ぶ縦断仮想線と前記横断中心線との交角が、９０度以下である。
（１２）前記第１側縁部に位置する前記括れ部の前記仮想線と、それに前記横方向において対向する前記第２側縁部に位置する前記括れ部の前記仮想線との交点が、前記中高部分内に位置する。
（１３）前記第２括れ部の前記縦方向の外側には、第３括れ部と、前記第３括れ部と前記横方向において対向して位置する前記変形誘導部とが位置する。
（１４）任意の前記括れ部の前記仮想線上に位置する前記変形誘導部は、前記任意の括れ部に最も近接する変形誘導部である。